(57)【要約】【課題】  釘体を実部に打ち込んだ場合に生じる膨らみが表面にまで現れにくい建築板を提供すること。【解決手段】  矩形状の基材１の表面側に化粧材  を積層し向かい合った辺に本実を形成してなる建築板５において、雄実３の表面側の付根部分に設けられる釘体打ち込み部３２と、雄実３の表面側の付根部分から建築板５の内部方向に向け形成される逃がし溝３５とを有することを特徴とする建築板５である。そして釘体打ち込み部３２を、雄実３の表面側の付根部分に設けた段部と雄実３との付根部分とし、さらに釘体打ち込み部３２の一部又は全部が、雄実３の表面部分から雄実３内部に向かって形成されている。【選択図】図１
2006083524.tif 000002
【特許請求の範囲】
【請求項１】
矩形状の基材の表面側に化粧材を積層し向かい合った辺に本実を形成してなる建築板において、雄実の表面側の付根部分に設けられる釘体打ち込み部と、雄実の表面側の付根部分から建築板の内部方向に向け形成される逃がし溝とを有することを特徴とする建築板。
【請求項２】
釘体打ち込み部を、雄実の表面側の付根部分に設けた段部と雄実との付根部分としたことを特徴とする請求項１記載の建築板。
【請求項３】
釘体打ち込み部の一部又は全部が、雄実の表面部分から雄実内部に向かって形成されていることを特徴とする請求項１又は請求項２記載の建築板。
【請求項４】
釘体打ち込み部のうち、雄実先端側部分が建築板の内部方向に向け傾斜していることを特徴とする請求項３記載の建築板。
【発明の詳細な説明】
【技術分野】
【０００１】
本発明は、一般住宅や集合住宅に施工される床材、壁材、天井材などに用いることが可能な建築板に関するものである。
【背景技術】
【０００２】
一般住宅や集合住宅における内装施工に用いられる建築板は、釘体で固定されるもの、接着剤を用い固定するもの、両者を併用するものなど、各種の施工方法により施工されている。その中でも釘体を用いるものが多くを占めている。そのため建築板の側端部に実を形成し、そのうち雄実側を釘体で基礎に固定し、次いで雄実に別の建築板の雌実を被せることを行っている。本実など各種の実構造が知られる。
【０００３】
しかしながら、釘体を雄実に打ち込んだ場合、釘体によりその分だけ建築板が押しのけられ、周囲に膨らんでしまう。特に釘頭を邪魔にならないように雄実に埋めこむように打ち込んだ場合には、より大きな膨らみが形成され、建築板の表面側にまで影響を及ぼし易くなる。そして実結合部分が膨らみ、例えば光による濃淡が同部分に現れ、施工ムラとして施主が問題に感じる場合が多い。しかしながら従来の建築板では、単に釘頭の逃げ処理だけを考慮していたのが殆どである。（例えば特許文献１）
しかしながら実構造も多様化し、また薄い床材を用いる場合もあり、膨らみの問題が影響を及ぼす場合が発生していた。さらに最近では、施工時間の短縮のため、釘体としてコ字状のものを用い、釘打ち機を用い強力に建築板に釘体を打ち込むことが殆どであるため、実に釘頭ごと打ち込まれ、より大きく膨らみが発生するおそれが高い。したがってこの膨らみが表面側に影響が及びにくい実構造を持つ建築板が求められていた。
【特許文献１】実開昭６３−７６１４４号公報
【発明の開示】
【発明が解決しようとする課題】
【０００４】
本願発明は、上記背景技術に鑑みて発明されたものであり、その課題は、釘体を実部に打ち込んだ場合に生じる膨らみが表面にまで現れにくい建築板を提供することである。
【課題を解決するための手段】
【０００５】
上記課題を解決するために、矩形状の基材の表面側に化粧材を積層し向かい合った辺に本実を形成してなる建築板において、雄実の表面側の付根部分に設けられる釘体打ち込み部と、雄実の表面側の付根部分から建築板の内部方向に向け形成される逃がし溝とを有することを特徴とする建築板としている。
【０００６】
また本願発明のうち請求項２に係る発明は、請求項１に係る発明において、釘体打ち込み部を、雄実の表面側の付根部分に設けた段部と雄実との付根部分としたことを特徴としている。
【０００７】
また本願発明のうち請求項３に係る発明は、請求項１又は請求項２に係る発明において、釘体打ち込み部の一部又は全部が、雄実の表面部分から雄実内部に向かって形成されていることを特徴としている。
【０００８】
また本願発明のうち請求項２に係る発明は、請求項３に係る発明において、釘体打ち込み部のうち、雄実先端側部分が建築板の内部方向に向け傾斜していることを特徴としている。
【発明の効果】
【０００９】
本願発明のうち請求項１に係る発明の建築板においては、雄実の表面側の付根部分に設けられる釘体打ち込み部と、建築板の内部方向に向け形成される逃がし溝とを有することで、逃がし溝部分で建築板の表面側部分と裏面側部分とを独立させ、釘体の打ち込みによる基材の膨らみを該逃がし溝部分で表面側部分と縁きりをさせるため、表面側への膨らみ伝達を防ぐことが可能となる。
【００１０】
本願発明のうち請求項２又は請求項３に係る発明の建築板においては、上記に加えさらに、釘体打ち込み部の位置が決まるとともに、釘体の打ち込みの目印となるので施工がしやすくなる。特に後者では手打ちの場合にも対応が可能である。
【００１１】
本願発明のうち請求項４に係る発明の建築板においては、上記に加えさらに、釘体の打ち込み角度を略一定にすることができるため、施工強度をその他の釘打ち箇所も含めバラツキを少なくすることが出来る。
【発明を実施するための最良の形態】
【００１２】
本願発明の最良の形態を図１に示される以下の第一の実施例にて説明する。なお図１の拡大部分は、斜視図にて示されている建築板の、点線丸部分で囲まれる部分の拡大断面図である。
【００１３】
本実施例では、矩形状の基材１の表面側に化粧材  を積層し向かい合った辺に本実を形成してなる建築板５において、雄実３の表面側の付根部分に設けられる釘体打ち込み部３２と、雄実３の表面側の付根部分から建築板５の内部方向に向け形成される逃がし溝３５とを有することを特徴とする建築板５である。
【００１４】
そして釘体打ち込み部３２を、雄実３の表面側の付根部分に設けた段部と雄実３との付根部分とし、さらに釘体打ち込み部３２の一部又は全部が、雄実３の表面部分から雄実３内部に向かって形成されている。そして第一の実施例では、さらに釘体打ち込み部３２のうち、雄実先端側部分が建築板の内部方向に向け傾斜した傾斜部３３とされている。そのため釘体７がこの傾斜角度に沿うように打ち込みやすくなり、一定の打ち込み角度で釘体７を打ちつづけることが出来る。
【００１５】
また逃がし溝３５の表面側先端部分は、釘体７の打ち込み時に該釘体７の頭部分を避けるための釘頭逃がし部３４が面取を大きくとることで形成されている。そして雄実３の先端部分や、表面及び裏面の端部には面取加工がなされている。
【００１６】
なお、第一の実施例で示される建築板５を構成する基材１の種類は特に限定は無く、例えば合板、樹脂押出板や、ロックウール板などの無機質板など、一般住宅の内装部材として用いられている建築板用の基材がこれに当たる。そして、雄実３、雌実４は建築板５の四周に形成されていてもよいし、単に対向する二辺のみであってもよい。
【００１７】
本実施例で用いられている逃がし溝３５の形状は、建築板５の厚さが１２ｍｍのものにおいて、奥行き（ｌ１）が３ｍｍ〜５ｍｍ程度、高さ（ｈ１）が１ｍｍ〜２．５ｍｍ程度のものであり、この寸法は用いられる釘体７の太さ、逃がし溝３５の表面側部分の厚さ及びその強度などにより適宜選択し決定される。
【００１８】
また雄実３の裏面側付根は、表面側付根と比べて雄実先端側に突出している。これは釘体７の打ち込み角度が浅く起こされた場合に、釘体７により裏面側の付根部分が割れるおそれがあるため、この部分を特に厚く形成している。この寸法（ｌ２）は、２ｍｍ程度でよい。
【００１９】
なお釘体打ち込み部３２の形状は、図４（ａ）、（ｂ）に示される形状の他、特に加工されず平面状のままであってもよい。同図（ａ）及び（ｂ）の形状のようにすると、釘体７の打ち込み位置が決めやすいが、そのような加工がなされていなくても構わない。
【００２０】
次に、具体的に基材１の構成を限定した第二の実施例を用い、釘体７を打ち込んだ場合の状態について、図２を基に説明する。なお本実施例は、建築板５の基材１として合板、特には一般にレギュラー合板と呼ばれるものを用いた実施例である。なお本実施例の形状は、先に説明した第一の実施例の形状と同様であり、その内容については省略する。
【００２１】
本実施例では化粧シート２として突き板を用い、該突き板の繊維方向を建築板５の長手方向としている。そして図２で示される実構造は、建築板５の短手方向の断面により示されるものである。そして同図（ａ）では、基材１として五層構成の合板を用い、図で「Ｒ」、「Ｃ」と示されているのが、合板を構成する各単板である。ここで「Ｒ」は「レギュラー」の略で、繊維方向が長手方向であり化粧シート２である突き板と同方向に合わせていることを示している。一方、「Ｃ」は「クロス」の略で、繊維方向を突き板と直交するようにしている。そして雄実３の先端部分である凸条部３１が、いわゆる「センターコア」と呼ばれる「Ｒ」の単板層を、その中心部を含む表面側に有している。
【００２２】
この雄実３に釘体７を打ち込むと、図２（ｂ）で示されるように、センターコアの単板が釘体７で押しのけられ、逃がし溝３５の内部に起伏部分３６として盛り上がる。そして逃がし溝３５により建築板５の表面側と縁きりがなされているため、この起伏部分３６による影響は建築板５の表面側には伝わらない。
【００２３】
このようにして基礎６に釘体７で固定された建築板５の雄実３に、別の建築板５の雌実４を被せることで実結合がなされ、同様の手順を繰り返していくことで建築板５を基礎６に固定していくことができる。なお雌実４は、雄実３と実結合するために、裏面側の雌実先端部分が表面側より短く形成され、また実結合状態で雄実３の凸条部３１先端が雌実の奥部４１と接しないように形成されている。また、実結合状態で表面側は接しているが、裏面側は隙間を設けている。これは、雌実４の内側に接着剤を充填し、実結合時に接着剤が実結合部分に廻り実接着を行うときに、裏面側に廻った接着剤の一部が基礎６に達し、より確実に基礎６に建築板５を固定することを可能とするためである。また雌実４の表面側先端部分にも、上記釘頭逃がし部３４と同様に雌実側の釘頭逃がし部４２が形成されている。
【００２４】
そして逃がし溝３５の奥行き寸法は、第一の実施例と同様の寸法になっているが、合板を基材１として用いる場合は、センターコアの単板を釘体７が斜めに通過する際の奥行き寸法以上にしている。これはさらに裏面側の単板を釘体が通過しても、表面との距離が遠くなり影響が現れにくいためで、図ではさらに大きく奥行きをとっているが、これは釘体７の打ち込み角度が一定になりにくく、余裕を見ているためである。また角度が同じでも釘体７の太さが変わると起伏部分３６の大きさも変わるため、例えば逃がし溝３５の厚さ（ｈ１）を大きくするなど適宜変更することで対応が出来、若しくは予めおり込んだ厚さにしておく必要がある。
【００２５】
図３は、第二の実施例と層構成を変更し、上層から「Ｃ」、「Ｒ」の順に積層されたクロス合板と呼ばれるものを基材１として用いた第三の実施例を示している。なお、第二の実施例で短手方向にも実を形成した場合にも、化粧シート２の繊維方向は異なるものの、基材１部分は同様の層構成となる。そして本第三実施例においては、雄実のセンターコアが「Ｃ」となっていて、この層を釘体７が通過する際に生じる起伏部分３６の表面側への影響を無くしている。
【００２６】
一方、基材１として複合板が用いられる場合がある。例えば裏面側に合板、表面側にＭＤＦなどの木質繊維板を用い、表面強度をあげた建築板５などが考えられる。図４（ａ）にこの場合を示した第四の実施例を示している。この場合凸条部３１の表面及び裏面にセンターコアとは別の層が現出している。この場合の逃がし部  の奥行き寸法は、釘体７がセンターコアを通過するときの奥行き寸法よりも大きく形成することが望ましい。
【００２７】
その他逃がし溝３５の形状としては、図４（ｃ）に示すような、表面側が末広がり形状になっているものなどが考えられる。また、図示していないが、全体に建築板５の内向き裏面側方向に傾斜しているものであっても構わない。もちろん建築板５の各辺に沿って全長に亘って形成されていてもよいし、一定間隔で適宜形成されていても構わない。建築板５の加工上は全長に亘って形成されているほうが望ましい。また基材１が合板の場合の例示として、五層のもののみを示したが、その他七層のものなど層数の異なるものも用いることが出来る。
【図面の簡単な説明】
【００２８】
【図１】本願発明の第一の実施例を示した図で、建築板全体の斜視図とその要部拡大断面図が示されている。
【図２】第二の実施例を示した要部拡大図であり、（ａ）実構造、（ｂ）釘体打ち込み状態、（ｃ）実結合状態、を示している。
【図３】第三の実施例を示した要部拡大図である。
【図４】その他の状態を示した要部拡大図である。
【符号の説明】
【００２９】
１  基材
２  化粧シート
３  雄実
３１  凸条部
３２  釘体打ち込み部
３３  傾斜部
３４  釘頭逃がし部
３５  逃がし溝
３６  起伏部
４  雌実
５  建築板
【図１】
2006083524.tif 000003
【図２】
2006083524.tif 000004
【図３】
2006083524.tif 000005
【図４】
2006083524.tif 000006